(57)【要約】  直交周波数分割多重（ＯＦＤＭ）信号の信号電力を確認することは、ＯＦＤＭ信号から複数のチャネル推定を確認することを含む。複数のチャネル推定を位相整合させるための補償位相シフト値が、推定され、かつ位相補正されたチャネル推定を生成するために用いられる。位相補正されたチャネル推定をコヒーレントに結合し、それによって、ＯＦＤＭ信号の信号電力を確認する。補償位相シフト値は、チャネル特性（例えば、遅延拡散）に基づいてもよく、または代替として仮定してもよい。
2010507948.tif 000002
【特許請求の範囲】
【請求項１】
直交周波数分割多重（ＯＦＤＭ）信号の信号電力を確認する方法であって、
前記ＯＦＤＭ信号から複数のチャネル推定を確認することと、
位相に対して前記複数のチャネル推定を整合させるための１つまたは複数の補償位相シフト値を推定することと、
位相に対して前記複数のチャネル推定を整合させるための前記１つまたは複数の補償位相シフト値を用いることによって、複数の位相補正されたチャネル推定を生成することと、
前記位相補正されたチャネル推定をコヒーレントに結合し、それによって、前記ＯＦＤＭ信号の前記信号電力を確認することと、
を含む方法。
【請求項２】
前記ＯＦＤＭ信号から前記複数のチャネル推定を確認することが、
前記ＯＦＤＭ信号の多数のサブキャリアの１つまたは複数から、１つまたは複数のチャネル推定を確認することと、
前記ＯＦＤＭ信号の前記サブキャリアの１つまたは複数の他のサブキャリアから、前記チャネル推定の１つまたは複数を確認することと、
を含む、請求項１に記載の方法。
【請求項３】
位相に対して前記複数の参照シンボルを整合させるための前記１つまたは複数の補償位相シフト値を推定することが、
前記ＯＦＤＭ信号の複数のサンプルのどれが、サブキャリアにわたって最小の回転を引き起こす高速フーリエ変換（ＦＦＴ）の始点であるかを確認することと、
前記ＦＦＴの実際の始点と、サブキャリアにわたって前記最小の回転を引き起こす前記ＦＦＴの前記始点との間の相対距離の関数として、前記１つまたは複数の補償位相シフト値を推定することと、
を含む、請求項２に記載の方法。
【請求項４】
サブキャリアにわたって前記最小の回転を引き起こす前記ＦＦＴの前記始点が、前記ＯＦＤＭ信号が送信されたチャネルの電力遅延プロファイルの最大ピークに対応する、請求項３に記載の方法。
【請求項５】
サブキャリアにわたって前記最小の回転を引き起こす前記ＦＦＴの前記始点が、前記ＯＦＤＭ信号が送信されたチャネルの電力遅延プロファイルの重心に対応する、請求項３に記載の方法。
【請求項６】
位相に対して前記複数の参照シンボルを整合させるための前記１つまたは複数の補償位相シフト値を推定することが、
前記ＯＦＤＭ信号が送信されたチャネルの電力遅延プロファイルを確認することと、
高速フーリエ変換（ＦＦＴ）を前記電力遅延プロファイルに適用して、前記ＯＦＤＭ信号が送信された前記チャネルの推定を得ることと、
前記チャネルの前記推定を用いて、前記遅延拡散値の関数として前記１つまたは複数の補償位相シフト値を得ることと、
を含む、請求項２に記載の方法。
【請求項７】
位相に対して前記複数の参照シンボルを整合させるための前記１つまたは複数の補償位相シフト値を推定することが、
位相補正の複数すなわちＫ個の仮定されたセットのそれぞれを前記複数のチャネル推定に適用して、Ｋ個のセットの仮定され位相補正されたチャネル推定を得ることを含み、
前記位相補正されたチャネル推定をコヒーレントに結合することが、
前記Ｋ個のセットの仮定され位相補正されたチャネル推定のそれぞれに対して、前記仮定され位相補正されたチャネル推定をコヒーレントに結合することによって、前記ＯＦＤＭ信号の前記信号電力のＫ個の仮定を生成することと、
前記ＯＦＤＭ信号の前記信号電力の前記Ｋ個の仮定のうちどれが、前記ＯＦＤＭ信号の前記信号電力の前記Ｋ個の仮定のなかの最大の仮定であるかを確認することによって、前記ＯＦＤＭ信号の前記信号電力を確認することと、
を含む、請求項１に記載の方法。
【請求項８】
前記ＯＦＤＭ信号が送信されたチャネルの遅延拡散に関する情報を用いて、最初に位相補正の前記Ｋ個の仮定されたセットを得ることを含む、請求項７に記載の方法。
【請求項９】
前記ＯＦＤＭ信号が送信されたチャネルの電力遅延プロファイルに関する情報を用いて、最初に位相補正の前記Ｋ個の仮定されたセットを得ることを含む、請求項７に記載の方法。
【請求項１０】
位相補正の前記仮定されたセットのそれぞれが、サブキャリアにわたって線形である位相補正値を含む、請求項７に記載の方法。
【請求項１１】
位相に対して前記複数のチャネル推定を整合させるための前記１つまたは複数の補償位相シフト値を推定することが、
前記ＯＦＤＭ信号が送信されたチャネルの遅延拡散値を確認することと、
前記遅延拡散値の関数として前記１つまたは複数の補償位相シフト値を推定することと、
を含む、請求項１に記載の方法。
【請求項１２】
前記遅延拡散値の関数として前記１つまたは複数の補償位相シフト値を推定することが、
【数１】
2010507948.tif 000027
（式中、Δｔが前記遅延拡散値である）
に従って周波数ｆｉの第１のサブキャリアと周波数ｆｋの第２のサブキャリアとの間の位相シフトを計算することを含む、請求項１１に記載の方法。
【請求項１３】
直交周波数分割多重（ＯＦＤＭ）信号の信号電力を確認するための装置であって、
前記ＯＦＤＭ信号から複数のチャネル推定を確認するように構成された論理と、
位相に対して前記複数のチャネル推定を整合させるための１つまたは複数の補償位相シフト値を推定するように構成された論理と、
位相に対して前記複数のチャネル推定を整合させるための前記１つまたは複数の補償位相シフト値を用いることによって、複数の位相補正されたチャネル推定を生成するように構成された論理と、
前記位相補正されたチャネル推定をコヒーレントに結合し、それによって、前記ＯＦＤＭ信号の前記信号電力を確認するように構成された論理と、
を含む装置。
【請求項１４】
前記ＯＦＤＭ信号から前記複数のチャネル推定を確認するように構成された前記論理が、
前記ＯＦＤＭ信号の多数のサブキャリアの１つまたは複数から、１つまたは複数のチャネル推定を確認するように構成された論理と、
前記ＯＦＤＭ信号の前記サブキャリアの１つまたは複数の他のサブキャリアから、前記チャネル推定の１つまたは複数を確認するように構成された論理と、
を含む、請求項１３に記載の装置。
【請求項１５】
位相に対して前記複数の参照シンボルを整合させるための前記１つまたは複数の補償位相シフト値を推定するように構成された前記論理が、
前記ＯＦＤＭ信号の複数のサンプルのどれが、サブキャリアにわたって最小の回転を引き起こす前記高速フーリエ変換（ＦＦＴ）の始点であるかを確認するように構成された論理と、
前記ＦＦＴの実際の始点と、サブキャリアにわたって前記最小の回転を引き起こす前記ＦＦＴの前記始点との間の相対距離の関数として、前記１つまたは複数の補償位相シフト値を推定するように構成された論理と、
を含む、請求項１４に記載の装置。
【請求項１６】
サブキャリアにわたって前記最小の回転を引き起こす前記ＦＦＴの前記始点が、前記ＯＦＤＭ信号が送信されたチャネルの電力遅延プロファイルの最大ピークに対応する、請求項１５に記載の装置。
【請求項１７】
サブキャリアにわたって前記最小の回転を引き起こす前記ＦＦＴの前記始点が、前記ＯＦＤＭ信号が送信されたチャネルの電力遅延プロファイルの重心に対応する、請求項１５に記載の装置。
【請求項１８】
位相に対して前記複数の参照シンボルを整合させるための前記１つまたは複数の補償位相シフト値を推定するように構成された前記論理が、
前記ＯＦＤＭ信号が送信されたチャネルの電力遅延プロファイルを確認するように構成された論理と、
高速フーリエ変換（ＦＦＴ）を前記電力遅延プロファイルに適用して、前記ＯＦＤＭ信号が送信された前記チャネルの推定を得るように構成された論理と、
前記チャネルの前記推定を用いて、前記遅延拡散値の関数として前記１つまたは複数の補償位相シフト値を得るように構成された論理と、
を含む、請求項１４に記載の装置。
【請求項１９】
位相に対して前記複数の参照シンボルを整合させるための前記１つまたは複数の補償位相シフト値を推定するように構成された前記論理が、
位相補正の複数すなわちＫ個の仮定されたセットのそれぞれを前記複数のチャネル推定に適用して、Ｋ個のセットの仮定され位相補正されたチャネル推定を得るように構成された論理を含み、
前記位相補正されたチャネル推定をコヒーレントに結合するように構成された前記論理が、
前記Ｋ個のセットの仮定され位相補正されたチャネル推定のそれぞれに対して、前記仮定され位相補正されたチャネル推定をコヒーレントに結合することによって、前記ＯＦＤＭ信号の前記信号電力のＫ個の仮定を生成するように構成された論理と、
前記ＯＦＤＭ信号の前記信号電力の前記Ｋ個の仮定のうちどれが、前記ＯＦＤＭ信号の前記信号電力の前記Ｋ個の仮定のなかの最大の仮定であるかを確認することによって、前記ＯＦＤＭ信号の前記信号電力を確認するように構成された論理と、
を含む、請求項１３に記載の装置。
【請求項２０】
前記ＯＦＤＭ信号が送信されたチャネルの遅延拡散に関する情報を用いて、最初に位相補正の前記Ｋ個の仮定されたセットを得るように構成された論理を含む、請求項１９に記載の装置。
【請求項２１】
前記ＯＦＤＭ信号が送信されたチャネルの電力遅延プロファイルに関する情報を用いて、最初に位相補正の前記Ｋ個の仮定されたセットを得るように構成された論理を含む、請求項１９に記載の装置。
【請求項２２】
位相補正の前記仮定されたセットのそれぞれが、サブキャリアにわたって線形である位相補正値を含む、請求項１９に記載の装置。
【請求項２３】
位相に対して前記複数のチャネル推定を整合させるための前記１つまたは複数の補償位相シフト値を推定するように構成された前記論理が、
前記ＯＦＤＭ信号が送信されたチャネルの遅延拡散値を確認するように構成された論理と、
前記遅延拡散値の関数として前記１つまたは複数の補償位相シフト値を推定するように構成された論理と、
を含む、請求項１３に記載の装置。
【請求項２４】
前記遅延拡散値の関数として前記１つまたは複数の補償位相シフト値を推定するように構成された前記論理が、
【数２】
2010507948.tif 000028
（式中、Δｔが前記遅延拡散値である）
に従って周波数ｆｉの第１のサブキャリアと周波数ｆｋの第２のサブキャリアとの間の位相シフトを計算するように構成された論理を含む、請求項２３に記載の装置。
【発明の詳細な説明】
【技術分野】
【０００１】
背景
本発明は、チャネル品質情報（ＣＱＩ）パイロットが複数のサブキャリア上で送信される通信システムにおいて、ＣＱＩを推定する方法および装置に関する。
【背景技術】
【０００２】
移動体通信用グローバル・システム（ＧＳＭ）および広帯域符号分割多重接続（ＷＣＤＭＡ）のようなモバイルセルラー規格の来るべき発展において、直交周波数分割多重（ＯＦＤＭ）のような新しい伝送技術が生じると思われる。さらに、既存の無線スペクトルにおいて、既存のセルラーシステムから、新しい大容量高データレートシステムへのスムーズな移行を達成するために、新システムは、可変サイズの帯域幅を利用できなければならない。第３世代ロングタームエボリューション（３Ｇ  ＬＴＥ）と呼ばれる、かかる新しい柔軟なセルラーシステムのための提案は、３Ｇ  ＷＣＤＭＡ規格の発展と見なすことができる。このシステムは、ダウンリンクでは、多重接続技術としてＯＦＤＭを用い（ＯＦＤＭＡと呼ばれる）、１．２５ＭＨｚ〜２０ＭＨｚに及ぶ帯域幅で動作することができる。さらに、１００Ｍｂ／ｓまでのデータレートが、最大帯域幅についてサポートされる。しかしながら、３Ｇ  ＬＴＥは、高レートサービス用だけでなく、音声のような低レートサービス用にも用いられることが予想される。３Ｇ  ＬＴＥは、伝送制御プロトコル／インターネットプロトコル（ＴＣＰ／ＩＰ）用に設計されるので、ボイスオーバーアイピー（ＶｏＩＰ）は、スピーチを搬送するサービスになると思われる。
【０００３】
ＬＴＥシステム用にＯＦＤＭが選択されたいくつかの理由がある。１つは、受信機の複雑さを比較的低くできることである。別の理由は、少なくとも理論上、ＯＦＤＭによって、利用可能な帯域幅の非常に効率的な使用が可能になることである。一ユーザだけが送信している場合には、典型的には、異なる周波数においてチャネル品質が非常に異なる（この点で、チャネルは「周波数選択性」といわれる）ように開発することが可能である。ＯＦＤＭにおける情報は、多数のサブキャリア上で送信されるので、全てのサブキャリア上で同じ変調および符号化技術を用いるのではなく、異なる変調および符号化技術を異なるサブキャリア上で適用することができる。しかしながら、これを可能にするためには、チャネルにおける異なるサブキャリアの品質（例えば信号対雑音比）を推定しなければならず、これらの推定は、送信機にフィードバックしなければならない。
【０００４】
利用可能な帯域幅を数人のユーザが共有する場合には、直交周波数分割多重接続（ＯＦＤＭＡ）の用語が用いられることが多い。ＯＦＤＭＡでは、チャネルの共有は、異なるサブキャリアを異なるユーザに割り当てることによって達成される。異なるユーザへのサブキャリアの割り当ては、シンボルごとに変わることができ、その結果、チャネルは、時間および周波数の両方において効果的に分割される。１つの基地局およびいくつかの移動局を備えたセルラーシステムに関して、基地局から様々な移動局へのチャネルは、互いに別々に、かつ典型的には独立して変化する。ＯＦＤＭＡに関して、上記のように、優れた品質を有するサブキャリア上でより多くの情報を送信する発想は、次の方法で一般化することができる。全てのユーザ用の全てのサブキャリアにおける品質が判定される。次に、基地局は、最適な変調および符号化技術は何かだけでなく、どのサブキャリアをどのユーザに割り当てるべきかを決定する。
【０００５】
適応変調および符号化を用いることによって達成される潜在的利得は大きいが、それは、実際にはそれほど容易には得られない。第１に、チャネル品質を推定するために、既知のシンボルを送信しなければならない。今後、これらのシンボルは、チャネル品質情報（ＣＱＩ）パイロットと呼ぶ。ＣＱＩパイロットを送信するコストは、２倍である。第１に、伝達される電力の一部が、実データではなくパイロットの送信用に用いられる。第２に、シンボルのいくつかはユーザデータを一切搬送しないので、サポート可能な有効データレートは低減される。
【０００６】
潜在的利得が得られない理由は、送信信号に対するチャネルの影響を、送信側が完全に知るようにはできないことである。これに対する１つの理由は、チャネルが、時間的に変化することである。これは、たとえ受信側でチャネルが完全に推定されたとしても、送信側で情報が利用可能になる時間までに、チャネルが変化していることを意味する。
【０００７】
潜在的利得が得られない別の理由は、チャネル品質が、十分正確には推定されないことである。チャネルを推定するように意図されたＣＱＩパイロットは、データスループットの低減を代償とするので、ＣＱＩパイロットの数は非常に少ないことが多く、これは、必然的に、チャネル推定の正確さが制限されることを意味する。さらなる問題は、ＣＱＩパイロットが、異なるサブキャリア上で送信される場合に、それらが、例えばチャネルによって異なる影響を受けることである。ＣＱＩパイロットが異なる影響を受けることは、チャネルが周波数選択性であるとすれば、もちろん意外ではない。しかしながら、問題は、多くの実際的な状況において、２つの隣接するＣＱＩパイロットのそれぞれの位相が、それらのそれぞれの振幅よりはるかに大きく変化することである。
【０００８】
これは、ＣＱＩパイロットをコヒーレントに結合することによって平均電力を推定できないことを意味する。代わりに、非コヒーレント結合に依存しなければならない。非コヒーレント結合は、コヒーレント結合と比較して、ある程度の損失を有することが知られている。したがって、推定されたチャネル品質は、コヒーレント結合が可能だった場合ほど正確でなくなり、その結果、システム性能は低下する。
【０００９】
非コヒーレント結合を用いた品質低下の理由は、非コヒーレント結合が、分散の増加と同様に偏った推定を生じることである。数学的に言えば、特定のサブキャリア用のチャネル推定は、
【数１】
2010507948.tif 000003
であると仮定し（ここでｅは、複素数値ガウスノイズ（分散σ２）であると仮定される）、Ｍ個のチャネル推定にわたってコヒーレントに平均することによって電力（Ｓ＝｜ｈ｜２）を推定し、次に、Ｎサンプルにわたる非コヒーレントな平均を用いて、
【数２】
2010507948.tif 000004
を得る。
ここで、 
【数３】
2010507948.tif 000005
が、非心
【数４】
2010507948.tif 000006
分布確率変数の合計であることを示すことができ、非心パラメータλは、
【数５】
2010507948.tif 000007
である。
中心極限定理を適用すれば、
【数６】
2010507948.tif 000008
が得られる。
式（１）〜（３）の導出は、加法性ホワイトガウスノイズ（ＡＷＧＮ）チャネルにおいて有効である。すなわち、この場合に、チャネルは、経時的にかつサブキャリアにわたって一定である。実際には、遅延拡散（および／またはドップラー）を伴い、チャネルは、周波数（および／または時間）にわたって一定ではなく、したがって、その場合には、式（３）は単に近似値である。
【００１０】
上記から、次のことが分かる。
・  電力推定
【数７】
2010507948.tif 000009
は、
【数８】
2010507948.tif 000010
と等しい項でバイアスされる。
・  Ｍ個のチャネル推定のコヒーレントな平均は、主としてバイアスを低減するが、これは、Ｍが小さい場合には、低い信号対干渉比（ＳＩＲ）の問題になり得る。
・  積ＮＭは、推定の分散を低減する。
ＮＭが、推定に利用可能なパイロットの合計数であること、および明らかに、Ｍ＝ＮＭの場合には（すなわちＮ＝１の場合であり、これは、全てのパイロットがコヒーレントに結合されることを意味する）、推定が、最少の分散と同様に最少のバイアスを有することに注目することができる。
【００１１】
非コヒーレント結合を利用するＣＱＩパイロットを用いることによってチャネル品質を推定することは、既知である。これは、直接的なアプローチであるが、しかしその欠点は、その性能が、多くの場合に比較的低いことである。それにもかかわらず非コヒーレント結合が用いられる理由は、単に、従来システムでは位相の知識が利用可能ではなく、これが、コヒーレント結合を実行不可能に思わせることである。
【００１２】
ＣＱＩ推定用に異なるサブキャリア上で送信されるパイロットシンボルを用いることに関する根本的な問題は、典型的には、異なるサブキャリアの位相が、互いに異なり、かつ未知の方法で影響されることである。これは、平均する前のパイロットのコヒーレントな整合が、実現不可能であることを意味する。
【００１３】
本発明の説明を単純化するために、かつ本発明の範囲を決して限定せずに、従来技術を用いてコヒーレント結合を実行することがなぜ不可能なのかを説明するために、ＯＦＤＭシステム用のパラメータが、３ＧＰＰにおいて現在規格化されているパラメータであると仮定する。具体的には、サブキャリア間の間隔が１５ｋＨｚであること、およびシンボルの有用部分の持続期間が、この間隔の逆数に等しい、すなわちｔｓｙｍｂ＝０．０６７ｍｓであることが、例示のため仮定される。簡単にするために、サイクリックプレフィックス（ＣＰ）の長さは、ｔＣＰ＝４．６９μｓであると仮定する。（ＯＦＤＭなどの変調技術において、送信信号には、シンボル部およびシンボル部に先行するサイクリックプレフィックスが含まれ、サイクリックプレフィックスが、シンボル部の末尾部の複製であることが、既知である）。さらに、３ＧＰＰ規格では、合計帯域幅は、いわゆる資源ブロックに分割され、各ブロックには、１２個のサブキャリアが含まれる。資源ブロックは、ユーザに割り当てることができる最小可能量のサブキャリアを構成する。
【００１４】
異なるサブキャリアが異なる影響を受ける理由は、そのようなチャネルが周波数選択性であることであろうが、しかしまた、それは、同期エラーによっても引き起こされる可能性がある。
【００１５】
第１に、チャネルが周波数選択性である場合を考察し、チャネルが、等しい強さの２つのタップからなると仮定するが、この場合に、２つのタップ間の遅延は、Δｔ秒に等しい。次に、チャネルのインパルス応答は、恐らくスケーリングの後だが、
ｈ（ｔ）＝δ（ｔ）＋δ（ｔ−Δｔ）  （４）
として書くことができ、次に、対応するチャネルの伝達関数は、
Ｈ（ｆ）＝１＋ｅ−ｊ２πｆΔｔ＝２ｅ−ｊπｆΔｔｃｏｓ（πｆΔｔ）  （５）
によって与えられる。
ここで、Δｔ＝２μｓと仮定し、２つの隣接するサブキャリアを考察する。式（５）によれば、これらのサブキャリアのチャネル伝達関数についての位相差は、πｆ・Δｔ＝０．０３π＝０．０９４ラジアンである。例えば、ＣＱＩ推定に用いられるパイロットが、６サブキャリア離れている場合（これは、３ＧＰＰ仕様における現在の仮定である）には、２つのパイロット間の位相シフトは、０．５６ラジアン、すなわち約３２度である。この回転は、２つのパイロットのコヒーレント結合を可能にするのに十分に小さい（これは１つの資源ブロックに対応する）が、いくつかの資源ブロックからパイロットを用いることが、コヒーレント結合を実行不可能にする位相差をもたらすことは明らかである。
【００１６】
ここで、チャネルが周波数フラットであるが、しかしＣＰからのεサンプルが、高速フーリエ変換（ＦＦＴ）によって用いられる場合を考察する。（ＯＦＤＭのような変調技術が用いられる場合に、復調には、フーリエ変換を受信信号に適用することが伴うことは周知である）。Ｎサンプル幅のシンボル部１０１およびＣＰ１０３を含む例示的なＯＦＤＭ信号１００の図である図１は、この状況を説明するのに役立つ。ＣＰ１０３には、シンボル部１０１の末尾部にもまた存在する情報１０５のコピーが含まれる。ＣＰ１０３の全てではないが、最初の部分にはまた、シンボル間干渉１０７も含まれる。Ｎサンプル幅のＦＦＴウィンドウ１０９が、やはりシンボル間干渉（ＩＳＩ）を回避する、可能な最後の位置１１３より、εサンプル早い位置１１１において、その第１のサンプルを得ると仮定する。この場合に、ＦＦＴウィンドウ１０９（すなわち、ＦＦＴによって用いられるサンプル）の開始部１１１が、ＣＰ１０３においてＩＳＩのない部分の中央に配置されることに留意されたい。ＦＦＴウィンドウをできるだけ遅く配置すること（すなわちε＝０）と比較して、ＦＦＴウィンドウを図示のように配置することの差が、
Ｘε（ｌ）＝Ｘ（ｌ）ｅ−ｊ２πεｌ／Ｎ  （６）
に従って、ＦＦＴの出力における位相シフトをもたらすことが示され得るが、この場合に、Ｎは、ＦＦＴのサイズであり、ｌは、ＦＦＴの出力における周波数ビンのインデックスであり、−Ｎ／２＋１〜Ｎ／２の範囲にある。ここで、我々の例では、ＣＰの長さが、Ｎの約７％であり、次に、ε／Ｎの合理的な値が、例えば２％であると仮定する。式（６）を参照すると、これによって、サブキャリア当たり０．１２ラジアンだけ変化する位相回転が生成されることが容易に分かる。繰り返すと、ＣＱＩ推定に用いられるパイロットが６サブキャリア離れている場合には、ＣＱＩ推定に用いられるパイロット間に０．７２ラジアン、すなわち換言すれば約４１度の回転がある。この例では、前述の例におけるように、一資源ブロックにわたるコヒーレント結合は実現可能であろうが、しかしいくつかにわたるコヒーレント結合は、従来技術を用いて行うことはできない。
【００１７】
したがって、いくつかの資源ブロックが利用可能な場合はいつでも、性能は低下する。なぜなら、資源ブロック間の非コヒーレント結合に頼らなければならないことになるからである。実際には、非常に大きな遅延拡散が伴う場合には、コヒーレント結合は、単一の資源ブロック内でさえ実現できない可能性がある。
【発明の概要】
【発明が解決しようとする課題】
【００１８】
上記を考慮すると、たとえ位相参照が利用可能でなくても（すなわち、サブキャリアのいずれかに対して任意の実際の位相値が何なのかを知ることなく）、ＣＱＩ推定用にパイロットのコヒーレント結合を実行できるようにする方法および装置の必要性がある。かかる方法および装置は、例えば、ＣＱＩ推定およびそれによるシステム性能を向上させることになろう。
【課題を解決するための手段】
【００１９】
概要
用語「含む（含まれる）（ｃｏｍｐｒｉｓｅｓ）」および「含む（含まれる）（ｃｏｍｐｒｉｓｉｎｇ）」が、本明細書に用いられた場合には、言及された特徴、整数、ステップまたは構成要素の存在を明示するように理解されるが、しかし、これらの用語の使用は、１つもしくは複数の他の特徴、整数、ステップ、構成要素またはそれらの群の存在もしくは追加を除外しないことを強調すべきである。
【００２０】
本発明の一態様によれば、前述および他の目的は、直交周波数分割多重（ＯＦＤＭ）信号の信号電力を確認するための方法および装置において達成される。一態様において、これには、ＯＦＤＭ信号から複数のチャネル推定を確認することが伴う。位相に対して複数のチャネル推定を整合させるための１つまたは複数の補償位相シフト値が推定される。複数の位相補正されたチャネル推定が、位相に対して複数のチャネル推定を整合させる１つまたは複数の補償位相シフト値を用いることによって生成される。位相補正されたチャネル推定をコヒーレントに結合し、それによって、ＯＦＤＭ信号の信号電力を確認する。
【００２１】
一態様において、チャネル推定は、ＯＦＤＭ信号の異なるサブキャリアから確認してもよい。
【００２２】
別の態様において、位相に対して複数のチャネル推定を整合させるための１つまたは複数の補償位相シフト値を推定することには、ＯＦＤＭ信号が送信されたチャネルの遅延拡散値を確認することと、遅延拡散値の関数として１つまたは複数の補償位相シフト値を推定することと、が含まれる。例えば、これには、
【数９】
2010507948.tif 000011
に従って、周波数ｆｉの第１のサブキャリアと周波数ｆｋの第２のサブキャリアとの間の位相シフトを計算することが伴う場合があり、この場合に、Δｔは、遅延拡散値である。
【００２３】
いくつかの代替実施形態において、位相に対して複数の参照シンボルを整合させるための１つまたは複数の補償位相シフト値を推定することには、ＯＦＤＭ信号の複数のサンプルのどれが、サブキャリアにわたって最小の回転を引き起こす高速フーリエ変換（ＦＦＴ）の始点であるかを確認すること、およびＦＦＴの実際の始点と、サブキャリアにわたって最小の回転を引き起こす高速フーリエ変換（ＦＦＴ）の始点との間の相対距離の関数として１つまたは複数の補償位相シフト値を推定すること、が含まれる。いくつかの実施形態において、サブキャリアにわたって最小の回転を引き起こすＦＦＴの始点は、ＯＦＤＭ信号が送信されたチャネルの電力遅延プロファイルの最大ピークに対応する。いくつかの代替実施形態において、サブキャリアにわたって最小の回転を引き起こすＦＦＴの始点は、ＯＦＤＭ信号が送信されたチャネルの電力遅延プロファイルの重心に対応する。
【００２４】
さらに他の代替実施形態において、位相に対して複数の参照シンボルを整合させるための１つまたは複数の補償位相シフト値を推定することには、ＯＦＤＭ信号が送信されたチャネルの電力遅延プロファイルを確認することと、高速フーリエ変換（ＦＦＴ）を電力遅延プロファイルに適用して、ＯＦＤＭ信号が送信されたチャネルの推定を得ることとが含まれる。次に、チャネルの推定を用いて、遅延拡散値の関数として１つまたは複数の補償位相シフト値を得る。
【００２５】
さらに他の代替実施形態において、位相に対して複数の参照シンボルを整合させるための１つまたは複数の補償位相シフト値を推定することには、位相補正の複数すなわちＫ個の仮定されたセットの各々を複数のチャネル推定に適用して、Ｋ個のセットの仮定され位相補正されたチャネル推定を得ることが含まれる。かかる実施形態において、位相補正されたチャネル推定をコヒーレントに結合することには、Ｋ個のセットの仮定され位相補正されたチャネル推定のそれぞれに対して、仮定され位相補正されたチャネル推定をコヒーレントに結合することによって、ＯＦＤＭ信号の信号電力のＫ個の仮定を生成することを含むことができる。次に、ＯＦＤＭ信号の信号電力を確認することには、ＯＦＤＭ信号の信号電力のＫ個の仮定のどれが、ＯＦＤＭ信号の信号電力のＫ個の仮定のうち最大の仮定であるかを確認することが伴う。これらの実施形態のいくつかにおいて、別の態様には、ＯＦＤＭ信号が送信されたチャネルの遅延拡散に関する情報を用いて、位相補正のＫ個の仮定されたセットを最初に得ることが含まれる。いくつかの代替実施形態において、ＯＦＤＭ信号が送信されたチャネルの電力遅延プロファイルに関する情報を用いて、位相補正のＫ個の仮定されたセットを最初に得る。また、いくつかの、しかし必ずしも全てではない実施形態において、位相補正の仮定されたセットのそれぞれには、サブキャリアにわたって線形である位相補正値が含まれる。
【００２６】
本発明の目的および利点は、図面に関連して下記の詳細な説明を読むことによって理解されよう。
【図面の簡単な説明】
【００２７】
図面の簡単な説明
【図１】Ｎサンプル幅のシンボル部およびサイクリックプレフィックスを含む例示的なＯＦＤＭ信号の図である。
【図２】本発明の実施形態と一致する、セルラー通信設備において動作する適切な論理によって実行されるステップ／プロセスを示す流れ図である。
【図３ａ】２タップチャネルのチャネル電力遅延プロファイルの例およびＦＦＴウィンドウ配置の影響である。
【図３ｂ】完全なチャネル電力遅延プロファイルの例およびＦＦＴウィンドウ配置の影響である。
【図４】各サブキャリアの位相モデルに依存せず、本発明の代替実施形態と一致する、セルラー通信設備において実行されるステップ／プロセスを示す流れ図である。
【発明を実施するための形態】
【００２８】
詳細な説明
ここで、本発明の様々な特徴を図に関連して説明するが、これらの図において同様の部分は、同じ参照符号で識別される。
【００２９】
ここで、本発明の様々な態様を、多くの例示的な実施形態に関連して、より詳細に説明する。本発明の理解を容易にするために、本発明の多くの態様は、プログラムされた命令を実行できるコンピュータシステムまたは他のハードウェアの要素によって実行される動作シーケンスの点から説明される。実施形態のそれぞれにおいて、専用回路（例えば、特化した機能を実行するように相互接続された別個の論理ゲート）によってか、１つまたは複数のプロセッサによってプログラム命令を実行することによってか、または両方の組み合わせによって、様々な動作が実行可能であることが理解されよう。さらに、追加的に、本発明は、任意の形態のコンピュータ可読担体内で完全に具体化されると見なすことができるが、これらのコンピュータ可読担体には、本明細書で説明する技術をプロセッサに実行させるコンピュータ命令の適切なセットを含む固体メモリ、磁気ディスク、光ディスクまたはキャリア波（無線周波数、可聴周波数もしくは光周波数キャリア波等）などがある。したがって、本発明の様々な態様は、多くの異なる形態で具体化してもよく、かかる全ての形態は、本発明の範囲内にあると考えられる。本発明の様々な態様のそれぞれに関して、実施形態の任意のかかる形態は、本明細書では、説明される動作を実行するように「構成された論理」、または代替として、説明される動作を実行する「論理」と呼んでもよい。
【００３０】
本発明の態様には、例えばチャネル推定によって導き出された位相の明確な推定を利用することなく、異なるＣＱＩパイロットから導き出されたチャネル推定を位相に対して整合することが伴う。代替実施形態は、これを達成する異なる方法を利用する。一方法において、異なるＣＱＩパイロット間の位相シフトが推定され、それらの導き出されたチャネル推定が補償され、その後、これらのチャネル推定を用いて、結合信号電力推定を生成する。
【００３１】
代替実施形態において、ブラインドアプローチが提案される。この場合に、異なるＣＱＩパイロット間の位相シフトは、周波数距離に比例すると仮定される。この比例関係についての異なる要因が評価され、最良の結果（最大推定信号電力の点で）を与えるものが選択される。
【００３２】
これらおよび他の態様は、下記でより詳細に説明する。
【００３３】
図２は、本発明の実施形態と一致する、セルラー通信設備において動作する適切な論理（例えば、ハードウェアまたはハードウェアと連携するソフトウェア）によって実行されるステップ／プロセスを示す流れ図である。受信信号によって示される、チャネルの遅延拡散は、遅延拡散推定器（ステップ２０１）において推定される。本明細書で用いられるとき、用語「遅延拡散」は、送信機と受信機との間のほぼ最短の無線経路に関連する受信信号と、ほぼ最長の無線経路に関連する信号の遅延バージョンとの間の時間遅延を指す。本明細書で用いるとき、用語「ほぼ最短」は、信号が横断でき、なお少なからぬエネルギ量で受信され得る最短経路を意味する。同様に、用語「ほぼ最長」は、信号が横断でき、なお少なからぬエネルギ量で受信され得る最長経路を意味する。これには、より短いかまたはより長い経路が存在するが、受信信号のエネルギが所定の最小閾値を超えないことにより考慮されないという可能性があり得る。遅延拡散を推定する様々な技術が公知であり、したがって、本明細書で説明する必要はない。ＬＴＥシステムでは、Ｐ−ＳＣＨを用いて遅延拡散を推定することができる。しかしながら、他の技術が存在し、本発明は、いかなる１つの特定の技術にも限定されない。
【００３４】
次に、遅延拡散は、サブキャリア周波数の関数として位相変化の適切なモデルにおいて適用され、各サブキャリアに関連する位相シフトの推定を導き出す（ステップ２０３）。例として、式（４）の２タップチャネルモデルを用いてもよい。遅延拡散Δｔを与えられたとすると、式（５）から、パイロットシンボルを有する２つのサブキャリア（周波数ｆｉおよびｆｋにおける）間の位相シフトが、キャリア間の周波数における距離の線形関数、すなわち、
【数１０】
2010507948.tif 000012
であることが分かる。
【００３５】
各サブキャリアについて位相シフトを推定することに加えて、チャネル推定が、ＣＱＩパイロットのそれぞれから導き出され、チャネル推定
【数１１】
2010507948.tif 000013
が与えられる（ステップ２０５）。この例示的な実施形態において、このステップは、遅延拡散および位相シフト推定を生成した後に生じるように示されている。しかしながら、ＣＱＩパイロットを処理してチャネル推定セットを導き出すことは、これらのより早いステップに依存する必要はなく、したがって、チャネル推定が、最初にか、最後にか、または中間のどこかで実行されるかどうかは関係ない。
【００３６】
サブキャリアについての推定された位相シフトを用いて、位相補正が、チャネル推定に適用される（ステップ２０７）。数学的には、チャネル推定（Ｍ個のチャネル推定があると仮定する）は、
【数１２】
2010507948.tif 000014
に従って位相補正される。
【００３７】
位相補正に続いて、位相補正されたチャネル推定がコヒーレントに結合されて、結合信号電力推定を得る（ステップ２０９）。例示的な実施形態において、このステップには、
【数１３】
2010507948.tif 000015
に従って、結合信号電力推定
【数１４】
2010507948.tif 000016
を決定することが伴う。
ここで、αｉは倍率である。αｉの適切な値がどのように選択されるかは、本発明の範囲外である。例として、 
【数１５】
2010507948.tif 000017
を選択することが可能であり、この場合にＭは、コヒーレントに結合されるチャネル推定の数である。これによって、Ｍ個のチャネル推定にわたる純粋な平均値が与えられる（したがって、平均信号電力推定が与えられる）。
【００３８】
次に、信号電力推定
【数１６】
2010507948.tif 000018
を様々な方法で用いて、ＣＱＩ推定に用いられるＳＩＲ値を得ることなどができる。信号電力推定の特定の使用法は、本発明の範囲を超えており、したがって本質的な特徴ではない。
【００３９】
説明は、これまで、サブキャリア間の位相シフトのモデルを用いた実施形態に集中した。しかしながら、かかるモデルの使用は、本発明にとって本質的ではない。代替実施形態は、実際のチャネルに関するより完全な情報を、かかる情報が利用可能な場合には、有利に利用することができる。例えば、２タップチャネルのチャネル電力遅延プロファイル３００の例であり、かつＦＦＴウィンドウ配置の影響を示す図３ａを考察する。信号３０１が、時間ｔ０に送信される。ＯＦＤＭ技術において公知のように、信号３０１の予備部には、信号３０１の末尾によって搬送される情報の複製であるサイクリックプレフィックス（ＣＰ）が含まれる。
【００４０】
多重経路伝播ゆえに、送信機アンテナと受信機アンテナとの間の第１の経路は、第１の光線３０３が時間ｔ１に受信されることに帰着し、第２の（より長い）経路は、第２の光線３０５が時間ｔ２に受信されることに帰着する。信号を復調するために、受信機は、ＦＦＴを適用する。ＦＦＴウィンドウの配置は、異なる影響をもたらす。第１の可能なウィンドウ位置３０７は、２つの受信信号（例えば、第１および第２の光線３０３、３０５）が、互いに分離されて考えられる場合にはゼロ位相シフトに帰着するであろう瞬間の中間点で始まる。中間における配置によって、個別の受信信号からの位相シフトは、同じ大きさだが反対符号となる。具体的には、ポイント（本明細書では「ｔｍｉｎ＿ｐｈａｓｅ」と示される）は、ｔ１とｔ２との間の中間点＋サイクリックプレフィックスの長さとして見出すことができる。しかしながら、かかる配置によって、ＦＦＴは、激しいシンボル間干渉（ＩＳＩ）を含むことになるであろう。
【００４１】
かかる干渉を回避するために、ＦＦＴウィンドウは、通常、より早い時点で開始される。ＩＳＩを最もよく除去するために、ＦＦＴウィンドウは、第１の光線３０３の端部と一致する時間に終了すべきである。この例において、その端点は、時間ｔｏｐｔ＿ｅｎｄで生じる。それに応じて、端点が時間ｔｏｐｔ＿ｅｎｄと一致する第２のウィンドウ位置３０９が、時間ｔｏｐｔ＿ｓｔａｒｔで始まる。
【００４２】
より一般的な場合に、チャネルは、３つ以上の経路を有する。図３ｂは、この状況を説明するための、完全なチャネル電力遅延プロファイル３５０の例およびＦＦＴウィンドウ配置の影響である。信号３５１が、時間ｔ０に送信される。多重経路伝播ゆえに、送信機アンテナと受信機アンテナとの間の第１の経路は、第１の光線３５３が時間ｔｆｉｒｓｔに受信されることに帰着し、最後の（最長の）経路は、最後の光線３５５が、時間ｔｌａｓｔに受信されることに帰着する。他の光線（図示せず）もまた、受信機によって受信される。２タップチャネルの場合と同様に、受信機は、信号を復調するためにＦＦＴを適用する。上記の場合のように、ＦＦＴウィンドウの配置は、異なる影響をもたらす。第１の可能なウィンドウ位置３５７は、インパルス応答の重心が生じる、ｔｆｉｒｓｔとｔｌａｓｔとの間＋サイクリックプレフィックスの長さのポイントで始まる。代替として、チャネルの最大インパルス応答（ｍａｘ（ｈ（ｔ））のポイントを用いてもよい。いずれの場合でも、本明細書でｔｍｉｎ＿ｐｈａｓｅと示されるそのポイントは、サブキャリア間の最小位相回転に帰着する。しかしながら、前述の２タップチャネルの例と同様に、かかる配置によって、ＦＦＴは、激しいＩＳＩを含むことになるであろう。
【００４３】
かかる干渉を回避するために、ＦＦＴウィンドウは、通常、より早い時点で開始される。最もよくＩＳＩを除去するために、ＦＦＴウィンドウは、第１の光線３５３の端部と一致する時間に終了すべきである。この例において、端点は、時間ｔｏｐｔ＿ｅｎｄで生じる。それに応じて、端点が時間ｔｏｐｔ＿ｅｎｄと一致する第２のウィンドウ位置３５９が、時間ｔｏｐｔ＿ｓｔａｒｔで始まる。
【００４４】
図３ａに示す特定の２タップチャネルか、または図３ｂに示すより一般的な場合を考察するかどうかにかかわらず、位相回転を最小限にするためにＦＦＴウィンドウを配置すべきポイント（すなわち、ｔｍｉｎ＿ｐｈａｓｅ）と、ＩＳＩを最もよく回避するためにＦＦＴウィンドウが実際に配置されるポイント（すなわち、ｔｏｐｔ＿ｓｔａｒｔ）との間には距離があることが分かる。この距離をｎサンプルと仮定するが、ｎサンプルは、本明細書においてＴｎ＿ｓａｍｐｌｅｓと示される時間量に対応する。ＦＦＴウィンドウのこの配置は、サブキャリアｋおよびｌ間に、ＦＦＴによって導入される回転
【数１７】
2010507948.tif 000019
を生じるが、この場合に、ＮＦＦＴは、ＦＦＴのサイズである。したがって、位相回転のこの式は、チャネル推定
【数１８】
2010507948.tif 000020
に適用される（ステップ２０７）位相補償量を決定する（ステップ２０３）ための基礎として用いることができ、これらのチャネル推定は、サブキャリアが受信信号から得られた後で、各サブキャリアから導き出される（ステップ２０５）。この位相補償が実行されると、残りのステップ２０９が、前述のように実行される。
【００４５】
他の代替実施形態において、さらに他の技術を用いて位相シフト関数を導き出すことができ、この位相シフト関数は、ステップ２０３を実行する場合に各サブキャリアに必要な位相補償量を決定するために利用することができる。例えば、ＰＤＰ３００を周波数領域に変換して、チャネル推定を導き出すことができる。チャネル推定には、各サブキャリアの位相情報が含まれ、これらの情報は、サブキャリアが受信信号から得られた後で、様々なサブキャリアから得られるチャネル推定（ステップ２０５）に適用される位相補償量を決定する（ステップ２０３）ための基礎として用いることができる。この位相補償が実行されると、残りのステップ２０９が、前述のように実行される。
【００４６】
この時点までに論じた実施形態の全ては、各サブキャリアの位相モデルを用いて、様々なチャネル推定をどのように補正するかを決定する。ここで説明は、この技術を用いない方法および装置に集中する。
【００４７】
図４は、各サブキャリアの位相推定に依存しない本発明の代替実施形態と一致する、セルラー通信設備において動作する適切な論理（例えば、ハードウェアまたはハードウェアと連係するソフトウェア）によって実行されるステップ／プロセスを示す流れ図である。多数すなわちＭ個のＣＱＩパイロットが、Ｍ個のチャネル推定を確認するための基礎として用いられ、それぞれが、ＣＱＩパイロットの１つに対応する（ステップ４０１）。
【００４８】
次に、多数すなわちＫ個の仮定された位相シフトシーケンス
【数１９】
2010507948.tif 000021
のそれぞれが、Ｍ個のチャネル推定のセットに対する位相補正として適用され（ステップ４０３）、
【数２０】
2010507948.tif 000022
に従って、Ｋ個のセットの仮定され位相補正されたチャネル推定
【数２１】
2010507948.tif 000023
を生成し、この場合に、Ｍは、ＣＱＩパイロットから得られたチャネル推定の数であり、Ｋは、位相補正の仮定されたセット（位相補正の各セットは、それ自体、Ｍ個の要素を有する）の数である。Ｋ個の仮定された位相シフトシーケンスは、ルックアップテーブルに有利に格納され、前に実行された室内実験から得ることができる。異なる仮定された位相シフトシーケンスを、異なる遅延およびＰＤＰ用に設計することができ、その結果、それらの少なくとも１つは、通信設備が遭遇する実情に対応する。
【００４９】
次に、補正されたチャネル推定のＫ個の仮定されたセットのそれぞれに対して、そのセットに属するＭ個のチャネル推定のコヒーレント結合を実行し、
【数２２】
2010507948.tif 000024
に従って、Ｋ個の結合信号電力推定を得る（ステップ４０５）。
Ｋ個の信号電力値が生成されたので、最も高い値を有するものが、信号電力推定として用いるために選択され（ステップ４０７）、すなわち、
【数２３】
2010507948.tif 000025
【００５０】
いくつかの実施形態において、位相補正における仮定されたセットを適応させる技術を適用し、それによって、試験を、より少数の仮定へと低減することができる。例えば、遅延拡散および／またはＰＤＰの知識を用いて、位相補正のどの仮定されたセットが、真の相殺位相補正を表わしている可能性がより高いかを決定することができる。これを示すために、Ｍ個のＣＱＩパイロットシンボルが、周波数においてΔｆの距離で等しく離間配置されると仮定し、位相シフトが、サブキャリアにわたって線形的に変化すると仮定される。（式（９）は、仮定された位相シフト値がサブキャリアにわたって線形的に変化することを要求しないことが理解されよう）。次に、位相シフトシーケンスは、形式
【数２４】
2010507948.tif 000026
である。
【００５１】
次に、仮定された位相補正のＫ個のセットが、Ｋ個の異なるθの値を仮定することによって生成される。
【００５２】
特定の実施形態に関連して本発明を説明した。しかしながら、上記の実施形態における形態以外の特定の形態で本発明を具体化することが可能であることは、当業者には容易に明らかであろう。説明した実施形態は、単に例示であり、決して限定的なものと見なされるべきではない。本発明の範囲は、前述の説明ではなく、添付の特許請求の範囲によって与えられ、かつ特許請求の範囲に入る全ての変形および等価物は、特許請求の範囲に包含されることが意図される。
【図１】
2010507948.tif 000029
【図２】
2010507948.tif 000030
【図３ａ】
2010507948.tif 000031
【図３ｂ】
2010507948.tif 000032
【図４】
2010507948.tif 000033
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
直交周波数分割多重（ＯＦＤＭ）信号の信号電力を確認する方法であって、
前記ＯＦＤＭ信号から複数のチャネル推定を確認すること（２０５）と、
位相に対して前記複数のチャネル推定を整合させるための１つまたは複数の補償位相シフト値を推定すること（２０３）と、
位相に対して前記複数のチャネル推定を整合させるための前記１つまたは複数の補償位相シフト値を用いることによって、複数の位相補正されたチャネル推定を生成すること（２０７）と、
前記位相補正されたチャネル推定をコヒーレントに結合し（２０９）、それによって、前記ＯＦＤＭ信号の前記信号電力を確認することと、
を含み、
前記ＯＦＤＭ信号から前記複数のチャネル推定を確認すること（２０５）が、
前記ＯＦＤＭ信号の多数のサブキャリアの１つまたは複数における群から１つまたは複数のチャネル推定を確認することと、
前記ＯＦＤＭ信号の前記サブキャリアの１つまたは複数のサブキャリアにおける異なる群から、前記チャネル推定の１つまたは複数を確認することと、
を含む方法において、
位相に対して前記複数の参照シンボルを整合させるための前記１つまたは複数の補償位相シフト値を推定すること（２０３）が、
前記ＯＦＤＭ信号の複数のサンプルのどれが、サブキャリアにわたって最小の回転を引き起こす高速フーリエ変換（ＦＦＴ）の始点であるかを確認すること（３０７、３５７）と、
前記ＦＦＴの実際の始点と、サブキャリアにわたって前記最小の回転を引き起こす前記ＦＦＴの前記始点との間の相対距離の関数として、前記１つまたは複数の補償位相シフト値を推定することと、
を含むことを特徴とする方法。
【請求項２】
サブキャリアにわたって前記最小の回転を引き起こす前記ＦＦＴの前記始点が、前記ＯＦＤＭ信号が送信されたチャネルの電力遅延プロファイルの最大ピークに対応する、請求項１に記載の方法。
【請求項３】
サブキャリアにわたって前記最小の回転を引き起こす前記ＦＦＴの前記始点が、前記ＯＦＤＭ信号が送信されたチャネルの電力遅延プロファイルの重心に対応する、請求項１に記載の方法。
【請求項４】
直交周波数分割多重（ＯＦＤＭ）信号の信号電力を確認する方法であって、
前記ＯＦＤＭ信号から複数のチャネル推定を確認すること（２０５）と、
位相に対して前記複数のチャネル推定を整合させるための１つまたは複数の補償位相シフト値を推定すること（２０３）と、
位相に対して前記複数のチャネル推定を整合させるための前記１つまたは複数の補償位相シフト値を用いることによって、複数の位相補正されたチャネル推定を生成すること（２０７）と、
前記位相補正されたチャネル推定をコヒーレントに結合し（２０９）、それによって、前記ＯＦＤＭ信号の前記信号電力を確認することと、
を含み、
前記ＯＦＤＭ信号から前記複数のチャネル推定を確認すること（２０５）が、
前記ＯＦＤＭ信号の多数のサブキャリアの１つまたは複数における群から１つまたは複数のチャネル推定を確認することと、
前記ＯＦＤＭ信号の前記サブキャリアの１つまたは複数のサブキャリアにおける異なる群から前記チャネル推定の１つまたは複数を確認することと、
を含む方法において、
位相に対して前記複数の参照シンボルを整合させるための前記１つまたは複数の補償位相シフト値を推定すること（２０３）が、
前記ＯＦＤＭ信号が送信されたチャネルの電力遅延プロファイル（３００、３５０）を確認することと、
高速フーリエ変換（ＦＦＴ）を前記電力遅延プロファイル（３００、３５０）に適用して、前記ＯＦＤＭ信号が送信された前記チャネルの推定を得ることと、
前記チャネルの前記推定を用いて、前記遅延拡散値の関数として前記１つまたは複数の補償位相シフト値を得ることと、
を含むことを特徴とする方法。
【請求項５】
直交周波数分割多重（ＯＦＤＭ）信号の信号電力を確認する方法であって、
前記ＯＦＤＭ信号から複数のチャネル推定を確認すること（２０５）と、
位相に対して前記複数のチャネル推定を整合させるための１つまたは複数の補償位相シフト値を推定すること（２０３）と、
位相に対して前記複数のチャネル推定を整合させるための前記１つまたは複数の補償位相シフト値を用いることによって、複数の位相補正されたチャネル推定を生成すること（２０７）と、
前記位相補正されたチャネル推定をコヒーレントに結合し（２０９）、それによって、前記ＯＦＤＭ信号の前記信号電力を確認することと、
を含む方法において、
位相に対して前記複数の参照シンボルを整合させるための前記１つまたは複数の補償位相シフト値を推定すること（２０３）が、
位相補正の複数すなわちＫ個の仮定されたセットのそれぞれを前記複数のチャネル推定に適用して、Ｋ個のセットの仮定され位相補正されたチャネル推定を得ることを含み、
前記位相補正されたチャネル推定をコヒーレントに結合すること（２０９）が、
前記Ｋ個のセットの仮定され位相補正されたチャネル推定のそれぞれに対して、前記仮定され位相補正されたチャネル推定をコヒーレントに結合することによって、前記ＯＦＤＭ信号の前記信号電力のＫ個の仮定を生成すること（４０５）と、
前記ＯＦＤＭ信号の前記信号電力の前記Ｋ個の仮定のうちどれが、前記ＯＦＤＭ信号の前記信号電力の前記Ｋ個の仮定のなかで最大の仮定であるかを確認することによって、前記ＯＦＤＭ信号の前記信号電力を確認すること（４０７）とを含む、ことを特徴とする方法。
【請求項６】
前記ＯＦＤＭ信号が送信されたチャネルの遅延拡散に関する情報を用いて、最初に位相補正の前記Ｋ個の仮定されたセットを得ることを含む、請求項５に記載の方法。
【請求項７】
前記ＯＦＤＭ信号が送信されたチャネルの電力遅延プロファイルに関する情報を用いて、最初に位相補正の前記Ｋ個の仮定されたセットを得ることを含む、請求項５に記載の方法。
【請求項８】
位相補正の前記仮定されたセットのそれぞれが、サブキャリアにわたって線形である位相補正値を含む、請求項５に記載の方法。
【請求項９】
直交周波数分割多重（ＯＦＤＭ）信号の信号電力を確認する方法であって、
前記ＯＦＤＭ信号から複数のチャネル推定を確認すること（２０５）と、
位相に対して前記複数のチャネル推定を整合させるための１つまたは複数の補償位相シフト値を推定すること（２０３）と、
位相に対して前記複数のチャネル推定を整合させるための前記１つまたは複数の補償位相シフト値を用いることによって、複数の位相補正されたチャネル推定を生成すること（２０７）と、
前記位相補正されたチャネル推定をコヒーレントに結合し（２０９）、それによって、前記ＯＦＤＭ信号の前記信号電力を確認することと、
を含む方法において、
位相に対して前記複数のチャネル推定を整合させるための前記１つまたは複数の補償位相シフト値を推定すること（２０３）が、
前記ＯＦＤＭ信号が送信されたチャネルの遅延拡散値を確認すること（２０１）と、
前記遅延拡散値の関数として前記１つまたは複数の補償位相シフト値を推定することと、
を含むことを特徴とする方法。
【請求項１０】
前記遅延拡散値の関数として前記１つまたは複数の補償位相シフト値を推定することが、
【数１】
2010507948.tif 000034
（式中、Δｔが前記遅延拡散値である）
に従って周波数ｆｉの第１のサブキャリアと周波数ｆｋの第２のサブキャリアとの間の位相シフトを計算することを含む、請求項９に記載の方法。
【請求項１１】
直交周波数分割多重（ＯＦＤＭ）信号の信号電力を確認する装置であって、
前記ＯＦＤＭ信号から複数のチャネル推定を確認する（２０５）ように構成された論理と、
位相に対して前記複数のチャネル推定を整合させるための１つまたは複数の補償位相シフト値を推定する（２０３）ように構成された論理と、
位相に対して前記複数のチャネル推定を整合させるための前記１つまたは複数の補償位相シフト値を用いることによって、複数の位相補正されたチャネル推定を生成する（２０７）ように構成された論理と、
前記位相補正されたチャネル推定をコヒーレントに結合し（２０９）、それによって、前記ＯＦＤＭ信号の前記信号電力を確認するように構成された論理と、
を含み、
前記ＯＦＤＭ信号から前記複数のチャネル推定を確認する（２０５）ように構成された前記論理が、
前記ＯＦＤＭ信号の多数のサブキャリアの１つまたは複数における群から１つまたは複数のチャネル推定を確認するように構成された論理と、
前記ＯＦＤＭ信号の前記サブキャリアの１つまたは複数のサブキャリアにおける異なる群から前記チャネル推定の１つまたは複数を確認するように構成された論理と、
を含む装置において、
位相に対して前記複数の参照シンボルを整合させるための前記１つまたは複数の補償位相シフト値を推定する（２０３）ように構成された前記論理が、
前記ＯＦＤＭ信号の複数のサンプルのどれが、サブキャリアにわたって最小の回転を引き起こす高速フーリエ変換（ＦＦＴ）の始点であるかを確認する（３０７、３５７）ように構成された論理と、
前記ＦＦＴの実際の始点と、サブキャリアにわたって前記最小の回転を引き起こす前記ＦＦＴの前記始点との間の相対距離の関数として、前記１つまたは複数の補償位相シフト値を推定するように構成された論理と、
を含むことを特徴とする装置。
【請求項１２】
サブキャリアにわたって前記最小の回転を引き起こす前記ＦＦＴの前記始点が、前記ＯＦＤＭ信号が送信されたチャネルの電力遅延プロファイルの最大ピークに対応する、請求項１１に記載の装置。
【請求項１３】
サブキャリアにわたって前記最小の回転を引き起こす前記ＦＦＴの前記始点が、前記ＯＦＤＭ信号が送信されたチャネルの電力遅延プロファイルの重心に対応する、請求項１１に記載の装置。
【請求項１４】
直交周波数分割多重（ＯＦＤＭ）信号の信号電力を確認する装置であって、
前記ＯＦＤＭ信号から複数のチャネル推定を確認する（２０５）ように構成された論理と、
位相に対して前記複数のチャネル推定を整合させるための１つまたは複数の補償位相シフト値を推定する（２０３）ように構成された論理と、
位相に対して前記複数のチャネル推定を整合させるための前記１つまたは複数の補償位相シフト値を用いることによって、複数の位相補正されたチャネル推定を生成する（２０７）ように構成された論理と、
前記位相補正されたチャネル推定をコヒーレントに結合し（２０９）、それによって、前記ＯＦＤＭ信号の前記信号電力を確認するように構成された論理と、
を含み、
前記ＯＦＤＭ信号から前記複数のチャネル推定を確認する（２０５）ように構成された前記論理が、
前記ＯＦＤＭ信号の多数のサブキャリアの１つまたは複数における群から１つまたは複数のチャネル推定を確認するように構成された論理と、
前記ＯＦＤＭ信号の前記サブキャリアの１つまたは複数のサブキャリアにおける異なる群から前記チャネル推定の１つまたは複数を確認するように構成された論理と、
を含む装置において、
位相に対して前記複数の参照シンボルを整合させるための前記１つまたは複数の補償位相シフト値を推定する（２０３）ように構成された前記論理が、
前記ＯＦＤＭ信号が送信されたチャネルの電力遅延プロファイル（３００、３５０）を確認するように構成された論理と、
高速フーリエ変換（ＦＦＴ）を前記電力遅延プロファイル（３００、３５０）に適用して、前記ＯＦＤＭ信号が送信された前記チャネルの推定を得るように構成された論理と、
前記チャネルの前記推定を用いて、前記遅延拡散値の関数として前記１つまたは複数の補償位相シフト値を得るように構成された論理と、
を含むことを特徴とする装置。
【請求項１５】
直交周波数分割多重（ＯＦＤＭ）信号の信号電力を確認する装置であって、
前記ＯＦＤＭ信号から複数のチャネル推定を確認する（２０５）ように構成された論理と、
位相に対して前記複数のチャネル推定を整合させるための１つまたは複数の補償位相シフト値を推定する（２０３）ように構成された論理と、
位相に対して前記複数のチャネル推定を整合させるための前記１つまたは複数の補償位相シフト値を用いることによって、複数の位相補正されたチャネル推定を生成する（２０７）ように構成された論理と、
前記位相補正されたチャネル推定をコヒーレントに結合し（２０９）、それによって、前記ＯＦＤＭ信号の前記信号電力を確認するように構成された論理と、
を含む装置において、
位相に対して前記複数の参照シンボルを整合させるための前記１つまたは複数の補償位相シフト値を推定する（２０３）ように構成された前記論理が、
位相補正の複数すなわちＫ個の仮定されたセットのそれぞれを前記複数のチャネル推定に適用して、Ｋ個のセットの仮定され位相補正されたチャネル推定を得る（４０３）ように構成された論理を含み、
前記位相補正されたチャネル推定をコヒーレントに結合する（２０９）ように構成された前記論理が、
前記Ｋ個のセットの仮定され位相補正されたチャネル推定のそれぞれに対して、前記仮定され位相補正されたチャネル推定をコヒーレントに結合することによって、前記ＯＦＤＭ信号における前記信号電力の前記Ｋ個の仮定を生成する（４０５）ように構成された論理と、
前記ＯＦＤＭ信号の前記信号電力の前記Ｋ個の仮定のうちどれが、前記ＯＦＤＭ信号の前記信号電力の前記Ｋ個の仮定のなかで最大の仮定であるかを確認する（４０７）ことによって、前記ＯＦＤＭ信号の前記信号電力を確認するように構成された論理と、を含むことを特徴とする装置。
【請求項１６】
前記ＯＦＤＭ信号が送信されたチャネルの遅延拡散に関する情報を用いて、最初に位相補正の前記Ｋ個の仮定されたセットを得るように構成された論理を含む、請求項１５に記載の装置。
【請求項１７】
前記ＯＦＤＭ信号が送信されたチャネルの電力遅延プロファイルに関する情報を用いて、最初に位相補正の前記Ｋ個の仮定されたセットを得るように構成された論理を含む、請求項１５に記載の装置。
【請求項１８】
位相補正の前記仮定されたセットのそれぞれが、サブキャリアにわたって線形である位相補正値を含む、請求項１５に記載の装置。
【請求項１９】
直交周波数分割多重（ＯＦＤＭ）信号の信号電力を確認する装置であって、
前記ＯＦＤＭ信号から複数のチャネル推定を確認する（２０５）ように構成された論理と、
位相に対して前記複数のチャネル推定を整合させるための１つまたは複数の補償位相シフト値を推定する（２０３）ように構成された論理と、
位相に対して前記複数のチャネル推定を整合させるための前記１つまたは複数の補償位相シフト値を用いることによって、複数の位相補正されたチャネル推定を生成する（２０７）ように構成された論理と、
前記位相補正されたチャネル推定をコヒーレントに結合し（２０９）、それによって、前記ＯＦＤＭ信号の前記信号電力を確認するように構成された論理と、
を含む装置において、
位相に対して前記複数のチャネル推定を整合させるための前記１つまたは複数の補償位相シフト値を推定する（２０３）ように構成された前記論理が、
前記ＯＦＤＭ信号が送信されたチャネルの遅延拡散値を確認する（２０１）ように構成された論理と、
前記遅延拡散値の関数として前記１つまたは複数の補償位相シフト値を推定するように構成された論理と、
を含むことを特徴とする装置。
【請求項２０】
前記遅延拡散値の関数として前記１つまたは複数の補償位相シフト値を推定する（２０３）ように構成された前記論理が、
【数２】
2010507948.tif 000035
（式中、Δｔが前記遅延拡散値である）
に従って周波数ｆｉの第１のサブキャリアと周波数ｆｋの第２のサブキャリアとの間の位相シフトを計算するように構成された論理を含む、請求項１９に記載の装置。
【手続補正２】
【補正対象書類名】明細書
【補正対象項目名】００１７
【補正方法】変更
【補正の内容】
【００１７】
したがって、いくつかの資源ブロックが利用可能な場合はいつでも、性能は低下する。なぜなら、資源ブロック間の非コヒーレント結合に頼らなければならないことになるからである。実際には、非常に大きな遅延拡散が伴う場合には、コヒーレント結合は、単一の資源ブロック内でさえ実現できない可能性がある。
欧州特許第１  １７６  ７５０号明細書は、ＯＦＤＭ伝送システムにおける伝送リンクのリンク品質決定を開示する。チャネル係数推定器が、それぞれのｍ個のサブキャリアに対してチャネル係数の推定を決定する。信号電力決定ユニットが、複数のサブキャリアにわたり推定チャネル係数の電力を平均することによって、信号電力を決定する。
【国際調査報告】
2010507948.tif 000036
2010507948.tif 000037
2010507948.tif 000038